(57)【特許請求の範囲】
【請求項１】
複数の記憶素子からなる記憶部とアンテナ部とから構成され、かつ無線によりデータが記録されたり読取られたりする電子回路を所定間隔ごとに１つずつ有するロール状媒体を繰出す繰出し手段と、
この繰出し手段により繰出されるロール状媒体を上記電子回路を少なくとも１つ有した状態で所定長さごとに無線券として切断する切断手段と、
この切断手段により切断された無線券に所定の情報を付加して発行する発行手段とを具備し、
上記記憶部の各記憶素子の配置が、上記記憶部の各記憶素子の短手方向と上記ロール状媒体の巻き方向とがほぼ平行であることを特徴とする無線券発行機。
【発明の詳細な説明】
【０００１】
【発明の属する技術分野】
この発明は、ロール状の媒体を切出して無線券として発行する無線券発行機に関する。
【０００２】
【従来の技術】
世の中に流通している切符・チケットに関しては、表面の印刷による切符・チケットの情報表示のみではなく、磁気を利用した磁気データを同一媒体に保有している。この媒体の形態としては、テレフォンカード、プリペイドカード、定期券に代表されるカード様のものと、エドモンソン券に代表されるロール紙から切り出されたものがある。
【０００３】
最近になり、前出のカードタイプのものに関しては無線情報を保有することができる記憶部を有した、いわゆる無線カードが登場している。駅務業界に関しても、無線定期券の登場により、一般ユーザヘの利用が今後拡大することが予想される。
【０００４】
しかしながら後出のロール紙から切り出された紙様の切符・チケットに関しては、今のところ登場していない。
【０００５】
上記した無線カードは、その媒体コストが従来の定期券と比較して高価なことから、リサイクルによる複数回の使用により最終的には安価なものとなるように努力がなされている。しかしながらある一定の条件を満たしたユーザ（定期券利用者など）にその利用を限定せざるを得ないなど、今後安価な無線カードが開発されるまではしばらくこの状態が続くと予想される。
【０００６】
また使い捨てとなるロール紙から切り出された切符・チケットに関しては、今のところ無線化の動きは無く従来の利用に留まっている。
【０００７】
そのため、システム面から見ても、無線用の機械と搬送系を有する従来の機種とが混在せざるを得ないのが実状である。また利用者からみても、より便利な無線切符・チケットの導入が望まれることが予想される。
【０００８】
【発明が解決しようとする課題】
この発明は、ロール状の媒体から切出された券を安価な無線券として発行することができる無線券発行機を提供することを目的としている。
【００１２】
この発明の無線券発行機は、とを有する複数の記憶素子からなる記憶部とアンテナ部とから構成され、かつ無線によりデータが記録されたり読取られたりする電子回路を所定間隔ごとに１つずつ有するロール状媒体を繰出す繰出し手段と、この繰出し手段により繰出されるロール状媒体を上記電子回路を少なくとも１つ有した状態で所定長さごとに無線券として切断する切断手段と、この切断手段により切断された無線券に所定の情報を付加して発行する発行手段とを具備し、上記記憶部の各記憶素子の配置が、上記記憶部の各記憶素子の短手方向と上記ロール状媒体の巻き方向とがほぼ平行である。
【００１５】
【発明の実施の形態】
以下、図面を参照してこの発明の第１の実施形態の無線券発行機を説明する。
【００１６】
この無線券発行機は、購入客の指示に基づく無線券Ａを発行するものであり、たとえば交通機関等で用いられる無線式の切符、チケット（無線券Ａ）を販売する販売機等により構成されている。
【００１７】
この無線券発行機は、図１に示すように、本体１の前面に、購入客用の接客部２を有している。この接客部２は、購入客により投入される硬貨を受入れる料金投入部３、この料金投入部３により投入された料金、釣り銭が表示される料金表示部４、上記料金投入部３により投入された料金により購入可能な券の選択ボタンとしての券購入ボタン５、…、購入した（発券された）無線券Ａが排出される券排出部６、及び釣り銭が排出される釣り銭放出部７により構成されている。上記例では、硬貨を受入れたが紙幣も受入れるようにしても良い。
【００１８】
この無線券発行機は、図２に示すように、本体１内の下部に、軸１１に券回されているロール状媒体１２が設けられている。
【００１９】
このロール状媒体１２の先端部分は、図示しない繰出し機構により繰出されてマーク検知器１３を介して切断部１４へ導かれるようになっている。この切断部１４によって上記ロール状媒体１２が切断されることにより、所定長さごとの無線券Ａとして切断される。この切断部１４によって切断された所定長さの無線券Ａは、搬送路１５に沿って印刷部１６、無線データ収受部１７を順次介して搬送され、上記券排出部６から排出（発行）されるようになっている。
【００２０】
上記切断部１４は、上記ロール状媒体１２にあらかじめ付与されているマーク（後述する）をマーク検知器１３によって検知してから所定時間後に、上記繰出し機構による繰出しを停止して上記ロール状媒体１２を切断することにより、一定の長さの無線券Ａが作成されるものである。この無線券Ａには、購入情報が未記録（未書込み）のものとなっている。
【００２１】
マーク検知器１３は、上記ロール状媒体１２にあらかじめ付与されているマーク（後述する）を光学的に検知するものであり、たとえば光の反射率の違いにより検知するようになっている。
上記印刷部１６と無線データ収受部１７との間の搬送路１５上には、振分部１８が設けられている。この振分部１８は、無線データ収受部１７から逆送される無線券Ａを分岐搬送路１９へ振分けるものである。上記無線データ収受部１７から逆送される廃棄券としての無線券Ａは、分岐搬送路１９に沿って券先端検知部２０、パンチ部２１を順次介して搬送され、廃券部としての廃券箱２２に回収されるようになっている。
【００２２】
また、本体１内には、上記搬送路１５、分岐搬送路１９により無線券Ａを搬送する搬送機構（図示しない）、上記ロール状媒体１２を繰出す繰出し機構（図示しない）を駆動する搬送用モータ２３が設けられている。
【００２３】
上記印刷部１６は、今回の購入客が選んだ無線券Ａの購入情報を印刷し、目視で確認できるようにするものである。
【００２４】
無線データ収受部１７は、今回の購入客が選んだ無線券Ａの購入情報を無線収受により付加するものである。また、無線データ収受部１７は、上記付加した購入情報を無線により無線券Ａから読取り、上記付加した情報と一致するか否かを確認し、正しく購入情報が付加されたか否かを確認するものである。
【００２５】
券先端検知部２０は、分岐搬送路１９により搬送される無線券Ａの先端を光学的に検知するものである。この場合、マークに基づいて、決まった位置でロール状媒体１２が切断されているため、無線券Ａの先端を検知すれば記憶部４３の位置が特定できるようになっている。
パンチ部２１は、無線データ収受部１７により正しく購入情報が付加されなかった際に、対応する無線券Ａにボイドパンチを行うものである。
【００２６】
廃券箱２２は、パンチ部２１によりボイドパンチされた廃棄する無線券Ａを回収するものであり、無線データ送受信が失敗した無線券Ａを保管するものである。
【００２７】
上記無線券発行機には、料金投入部３の内側に図示しない検銭部が設けられ、上記釣り銭放出部７の上部の内側に図示しない釣り銭部が設けられている。検銭部は料金投入部３から投入された金額を計数するものである。
【００２８】
上記ロール状媒体１２は、図３に示すように、第１の保護層３１、基板層３２、回路層３３、第２の保護層３４、ロイコ層３５、第３の保護層３６の順に積層されて構成されている
第１の保護層３１、第３の保護層３６は、無線券Ａに対する傷保護のための層である。
【００２９】
基板層３２は、無線券Ａのベースとなる層である。
【００３０】
回路層３３は、図４に示すように、あらかじめ電子回路４１が印刷されている層である。この電子回路４１の印刷の内容としては、図４に示すように、送受信する際に必要なアンテナ４２、無線券Ａ（切符・チケット）の購入情報等を記憶する記憶部４３とからなる。
【００３１】
第２の保護層３４は、回路層３３とロイコ層３５を分けるための層である。
【００３２】
ロイコ層３５は、無線券Ａ（切符・チケット）の発券時に購入情報等が感熱印刷される層である。
【００３３】
このような積層構成によれば、上記ロール状媒体１２は、見た目の情報確認の機能と無線データによる情報保有機能とを兼ね備えた媒体となる。
【００３４】
上記ロール状媒体１２では、アンテナ４２と記憶部４３とからなる電子回路４１を事前に印刷することにより、無線カードの機能を持たせている。すなわち、プレ印刷によって無線回路機能をロール紙状態で持たせている。これにより、ロール状の媒体でありながら無線切符として使用できるものである。上記ロール状媒体１２には事前に紋様を含めプレ印刷の工程があるが、この時点で同様に電子回路４１を上記ロール状媒体１２に印刷するものである。
【００３５】
なお上記電子回路４１にはバッテリが設置されていない。
【００３６】
上記回路層３３において、図４に示すように、各電子回路４１のアンテナ４２と記憶部４３を２次元的（平面）に配置する。
【００３７】
これにより、上記ロール状媒体１２の厚みを抑えることができる。
【００３８】
上記したプレ印刷により回路層３３を有したロール状媒体１２は従来の媒体に対して厚みが増加している。これを低減するためにアンテナ４２、記憶部４３に関して極力厚さを抑える必要がある。このためにこれら回路層３３を２次元的（平面）に配置する。従来基板で集積率を上げる場合、多層構造とする傾向があるが、今回の場合、あえて薄さを追求するために、この方法を取る。
【００３９】
上記記憶部４３は、図５に示すように、複数の記憶素子４３ａ、…により構成されている。上記ロール状媒体１２の巻き方向とがほぼ平行に、各記憶素子４３ａ、…の短手方向が位置するようにして、各記憶素子４３ａ、…が配置（実装）されている。この配置により、上記記録部４３に対してロール時の曲げの影響を少なくすることができる。
【００４０】
すなわち、上記電子回路４１をプレ印刷として施したロール状媒体１２に関して、無線券発行機への装填時の状態はロール状である。これはロール外形に近い範囲での巻き癖は付きにくいが、中心に進むにつれてその影響が大きくなる。この影響を少しでも抑えるために、回路上必要な部品はロール状媒体１２の巻き方向に対して短手に配置する。
【００４１】
これにより、曲げに対して強度が向上し、ロール紙状ではもちろん、実際に無線券Ａ（切符・チケット）を購入した客の使用に対しても、無線券Ａの信頼性向上が図れる。
【００４２】
上記ロール状媒体１２のロイコ層３５には、図６に示すように、各電子回路４１と電子回路４１との間に対向して、無線券Ａの１枚の区切りを示すマーク４４、…が、あらかじめ印刷されている。これにより、マーク４４とマーク４４との間に１つの電子回路４１が位置し、アンテナ４２と記憶部４３が少なくとも１セット存在することになる。上記マーク４４を後端基準にして上記切断部１４により上記ロール状媒体１２を切断するようになっている。これにより、マーク４４からマーク４４の間に１つの電子回路４１を有する無線券Ａが切出されるようになっている。
【００４３】
このように、上記ロール状媒体１２をカットする際に少なくとも１つの電子回路４１が無線券Ａ上に構成されるようにプレ印刷時にマーキングしておき、このマークを検知することによって一定の間隔でカットすることができる。
【００４４】
上記発券動作において、マーク検知器１３によるマーク検知に基づいて、上記ロール状媒体１２の１枚分を搬送用モータ２３により駆動される繰出し機構（図示しない）により繰出し、切断部１４にてロール状媒体１２を切断するようになっている。この際、無線カードＡとしての切符・チケット１枚分に、無線データ収受に必要な前出のアンテナ４２、記憶部４３が少なくとも１セット存在している。また、上記マーク４４は、ロール状媒体１２へのプレ印刷の段階での券長送りのマーキングとなる。
【００４５】
次に、無線券発行機の制御回路について、図７を用いて説明する。
【００４６】
すなわち、無線券発行機の全体を制御する制御部５１が設けられている。この制御部５１には、上記接客部２の料金表示部４、券購入ボタン５、…、マーク検知器１２、券先端検知部２０、切断部１４を駆動するドライバ５２、印刷部１６を駆動するドライバ５３、上記搬送用モータ２３を駆動するドライバ５４、上記振分部１８を駆動するドライバ５５、上記パンチ部２１を駆動するドライバ５６、上記搬送路１５、分岐搬送路１９における無線券Ａによる搬送状態、搬送ジャムを検知するセンサ５７、無線データ収受部１７が接続されている。
【００４７】
次に、上記のような構成において、発券処理について図８に示すフローチャートを参照しつつ説明する。
【００４８】
まず、購入客は料金投入部３により購入に伴う金額を投入する。すると、制御部５１は投入金額に応じて券購入ボタン５、…を選択的に点灯する。
【００４９】
次に、購入客はこの点灯されている券購入ボタン５、…の１つを選択して押し下げる（ＳＴ１）。
【００５０】
また、制御部５１は搬送用モータ２３の駆動により上記ロール状媒体１２が繰出される。そして、制御部５１はマーク検知器１２からの検知信号が供給された後、所定時間経過後、上記ロール状媒体１２の繰出しを停止し（ＳＴ２）、切断部１４にてロール状媒体１２を切断する（ＳＴ３）。この切断されたロール状媒体１２は無線券Ａとして搬送路１５により搬送される。
【００５１】
これにより、アンテナ４２と記憶部４３が１セットの１つの電子回路４１を有する無線券Ａが取出される。
【００５２】
そして、上記無線券Ａが印刷部１６に到達した際、制御部５１は印刷部１６を駆動制御し、今回の購入客が選んだ券の購入情報を搬送路１５によって搬送される無線券Ａのロイコ層３３に感熱印刷し、目視で確認できるようにする（ＳＴ４）。
【００５３】
ついで、制御部５１は無線データ収受部１７により今回の購入客が選んだ券の購入情報を無線収受により無線券Ａに付加する（書き込む）（ＳＴ５）。
【００５４】
この後、制御部５１は無線データ収受部１７により無線収受により無線券Ａに書き込んだ購入情報を読取り（ベリファイリード）（ＳＴ６）、書き込んだ購入情報とベリファイリードにより読取った購入情報と一致するか否かをチェックする（ＳＴ７）。これにより、購入情報が確実に無線券Ａに送信されているかどうか確認される。
【００５５】
このチェックの結果、書き込んだ購入情報とベリファイリードにより読取った購入情報と一致した際、制御部５１は正常な発行と判断し、搬送用モータ２３を回転駆動することにより、無線データ収受部１７に位置する無線券Ａを券排出部６から排出（発行）する（ＳＴ８）。
【００５６】
これにより、購入客の手元に無線券Ａとしての切符・チケットが渡される。
【００５７】
また、上記ステップ７のチェックの結果、書き込んだ購入情報とベリファイリードにより読取った購入情報と一致しなかった際、制御部５１は搬送用モータ２３を逆方向に回転駆動する。これにより、無線券Ａが搬送路１５から振分部１８を介して分岐搬送路１９上を搬送される。
【００５８】
そして、制御部５１は無線券Ａが先端が券先端検知部２０により検知されてから所定時間後に無線券Ａの搬送を停止する（ＳＴ９）。この際、無線券Ａの電子回路４１内の記憶部４３が上記パンチ部２１に対向する位置となる。ついで、制御部５１は上記パンチ部２１により無線券Ａの記憶部４３にボイドパンチを行う（ＳＴ１０）。この後、制御部５１によりさらに無線券Ａが分岐搬送路１９上を搬送されることにより、無線券Ａが廃券箱２２へ廃棄される（ＳＴ１１）。この後、制御部５１は再発行動作へ移り、ステップ２に戻る。ここで現在取り引き中の購入客に対しては、発券業務のやり直しとなる。
【００５９】
なお、上記実施形態では、ロール状媒体をカットする際に少なくとも１回路が無線券上に構成されるようにプレ印刷時にマーキングしておき、このマークを検知することによって一定の間隔でカットする場合について説明したが、これに限らず、ロール状媒体をどの部分でカットしても少なくとも１つの電子回路が無線券上に構成されるように、無線券の１枚の長さに対して２つの電子回路のピッチで電子回路を有している場合であっても良い。
【００６０】
すなわち、図９に示すように、無線券Ａの１枚の長さが２つの電子回路４１、４１がプレ印刷される長さとなっている。これにより、ロール状媒体１２をどの位置で切断しても、必ず１つの電子回路４１は有効となっている。
【００６１】
この際、図２、図７の券発行機に対して、図１０、図１１に示すように、マーク検知器１３が削除され、券先端検知部２０が記憶部検知器２０’に変更される。他の共通部分については、同一符号を付し、説明を省略する。
【００６２】
この場合、ロール状媒体の作成時に、各電子回路の記憶部にユニークな識別番号ＩＤを付与しておくことにより、１枚の無線券を発行する際に、２つの電子回路の記憶部から応答があった際に、上記識別番号に基づいて処理を実行する。
上記記憶部検知器２０’は、無線により無線券Ａの記憶部４３を検知しても良い。
また、上記記憶部検知器２０’は、ロール状媒体１２に磁気バーを埋め込んでおき、これを検知する磁気センサにより記憶部４３を検知する構成であっても良い。また、記憶部４２が他部よりも厚みがあることを利用して、この厚みを検知する厚み検知器により記憶部４３を検知する構成であっても良い。
次に、上記のような構成において、発券処理について図１２に示すフローチャートを参照しつつ説明する。
【００６３】
まず、購入客は料金投入部３により購入に伴う金額を投入する。すると、制御部５１は投入金額に応じて券購入ボタン５、…を選択的に点灯する。
【００６４】
次に、購入客はこの点灯されている券購入ボタン５、…の１つを選択して押し下げる（ＳＴ１）。
【００６５】
また、制御部５１は搬送用モータ２３の駆動により上記ロール状媒体１２が繰出される。そして、制御部５１は上記ロール状媒体１２が所定長さ分（電子回路４１の２つ分のピッチ）、繰出された際に停止し（ＳＴ２’）、切断部１４にてロール状媒体１２を切断する（ＳＴ３）。この切断されたロール状媒体１２は無線券Ａとして搬送路１５により搬送される。
【００６６】
これにより、少なくともアンテナ４２と記憶部４３が１セットの１つの電子回路４１を有する無線券Ａが取出される。
【００６７】
そして、上記無線券Ａが印刷部１６に到達した際、制御部５１は印刷部１６を駆動制御し、今回の購入客が選んだ券の購入情報を搬送路１５によって搬送される無線券Ａのロイコ層３３に感熱印刷し、目視で確認できるようにする（ＳＴ４）。
【００６８】
ついで、制御部５１は無線データ収受部１７により今回の購入客が選んだ券の購入情報を無線収受により無線券Ａに付加する（書き込む）（ＳＴ５）。
【００６９】
この後、制御部５１は無線データ収受部１７により無線収受により無線券Ａに書き込んだ購入情報を読取り（ベリファイリード）（ＳＴ６）、書き込んだ購入情報とベリファイリードにより読取った購入情報と一致するか否かをチェックする（ＳＴ７）。これにより、購入情報が確実に無線券Ａに送信されているかどうか確認される。
【００７０】
このチェックの結果、書き込んだ購入情報とベリファイリードにより読取った購入情報と一致した際、制御部５１は正常な発行と判断し、搬送用モータ２３を回転駆動することにより、無線データ収受部１７に位置する無線券Ａを券排出部６から排出（発行）する（ＳＴ８）。
【００７１】
これにより、購入客の手元に無線券Ａとしての切符・チケットが渡される。
【００７２】
また、上記ステップ７のチェックの結果、書き込んだ購入情報とベリファイリードにより読取った購入情報と一致しなかった際、制御部５１は搬送用モータ２３を逆方向に回転駆動する。これにより、無線券Ａが搬送路１５から振分部１８を介して分岐搬送路１９上を搬送される。
【００７３】
そして、制御部５１は無線券Ａの記憶部４３が記憶部検知器２０’により検知されてから所定時間後に無線券Ａの搬送を停止する（ＳＴ９’）。この際、無線券Ａの電子回路４１内の記憶部４３が上記パンチ部２１に対向する位置となる。ついで、制御部５１は上記パンチ部２１により無線券Ａの記憶部４３にボイドパンチを行う（ＳＴ１０）。この後、制御部５１によりさらに無線券Ａが分岐搬送路１９上を搬送されることにより、無線券Ａが廃券箱２２へ廃棄される（ＳＴ１１）。この後、制御部５１は再発行動作へ移り、ステップ２’に戻る。ここで現在取り引き中の購入客に対しては、発券業務のやり直しとなる。
【００７４】
上記したように、使い捨ての無線券を安価に提供することにより、無線券利用者あるいはシステム管理者の作業負担・費用負担等を軽減することができる。
【００７５】
１．  プレ印刷によって無線回路機能を持ち、感熱印刷層も持ったロール状に巻いたロール紙状態で持たせ、このロール状の媒体から切出された券を安価な無線券として発行するようにしたものである。
【００７６】
これにより、無線媒体のコスト低減とともに、この切符・チケット（無線券）を用いたシステムの無線化が図れる。また、装置へのロール状媒体補充の頻度が、無線カードより低く係員への負担が軽減される。さらに、システム全体の無線化により顧客への新しいサービスの可能性を引き出し、またシステム管理者への新しいデータベースの提供の可能性も広がる。
【００７７】
２．  プレ印刷時の記憶部、アンテナに関して、ロール状媒体の厚みを抑えるために回路を２次元的に配置し、生産効率、信頼性を向上させたものである。
【００７８】
これにより、ロール状媒体１巻の長さが長くできることから、ロール状媒体の補充の頻度が低減され係員の負担が少なくなる。また、利用者が無線券を持っている間、ロール状媒体を薄く作っているため、突起が少ない分、無線券ヘの傷・傷みに対して強くなる。さらに、プレ印刷時の回路実装に対して、３次元的に配置することより安価・安易に作成できる。
【００７９】
３．  回路部品の配置は、ロール時の曲げの影響を少なくするため、巻き方向に対して実装部品の短手方向に実装し、ロール巻き方向に対して断線・短絡での回路の信頼性を確保するものである。
【００８０】
これにより、回路の断線、短絡を防ぐことにより、切符・チケット（無線券）の信頼性を向上させる。また、発行時の機械内部搬送に対して、レイアウトの自由性が向上し、より効率の良い機械の構築が可能となる。さらに、無線券の購入客がそれを持っている間、回路の断線・短絡の発生頻度を低減させる。
【００８１】
４．  無線券に対する発券時の情報の書込みを印刷及び無線データにより行う。
【００８２】
これにより、良い多くのデータを無線券に持たせることができる。また、無線券を処理する機械を無線化することにより、処理能力・斬新性に寄与する。さらに、無線カードシステムとの併用システムの構築が可能である。
【００８３】
５．  ロール状媒体をカットする際に少なくとも１つの電子回路が無線券上に構成されるようにプレ印刷時にマーキングしておき、このマークを検知することによって一定の間隔でカットする。マークの認識が行えなかった場合は異常処理を行う。
【００８４】
これにより、ロール状媒体に配置されている電子回路を確実に１枚の無線券に持たせる。また、切断ミスによるロール状媒体の無駄を低減する。さらに、券長送りの２重チェックとなる。
【００８５】
６．  ロール状媒体をどの部分でカットしても少なくとも１つの電子回路が無線券上に構成されるように、無線券の１枚の長さに対して２電子回路のピッチで回路を有しておき、データの書込みは２つの電子回路同時に行う。
【００８６】
これにより、ロール状媒体搬送状態の機能を持たせること無く、必要な電子回路が１枚の無線券に実装される。さらに、ロール状媒体を最後まで無駄無く使用できる。
【００８７】
７．  ボイドパンチを行う場合、この記憶部にパンチを打つ。データ送受信ミス等によりボイドパンチを行う場合、無線通信によって記憶部の位置を探し、この記憶部にパンチを打つ。２回路有している無線券の場合、両方の記憶部にパンチを打つ。
【００８８】
これにより、発行ミス券の不正使用を確実に抑えることができる。また、爬行（はこう、這ったまま進む）ミスの切符・チケットにパンチ穴を開けることにより、ボイド券であることが目視で確認できる。さらに、単純な機構により、ボイド処理ができる。
【００８９】
【発明の効果】
以上詳述したように、この発明によれば、ロール状の媒体から切出された券を安価な無線券として発行することができる無線券発行機を提供できる。
【図面の簡単な説明】
【図１】この発明の無線カード発行機の接客面を示す図。
【図２】無線カード発行機の内部構成を示す図。
【図３】ロール状媒体の断面構成を示す図。
【図４】ロール状媒体の電子回路の構成を示す図。
【図５】ロール状媒体の電子回路における記憶部の構成を示す図。
【図６】ロール状媒体における電子回路とマークとの関係を示す図。
【図７】無線カード発行機の制御回路の構成を示すブロック図。
【図８】無線カード発行機の発券処理を説明するためのフローチャート。
【図９】無線カード発行機の内部構成を示す図。
【図１０】無線カード発行機の制御回路の構成を示すブロック図。
【図１１】無線カード発行機の制御回路の構成を示すブロック図。
【図１２】無線カード発行機の発券処理を説明するためのフローチャート。
【符号の説明】
Ａ…無線カード
１２…ロール状媒体
１３…マーク検知器
１４…切断部
１５…搬送路
１６…印刷部
１７…無線データ収受部
１８…振分部
１９…分岐搬送路
２０…券先端検知部
２１…パンチ部
２２…廃券箱
２３…搬送用モータ
５１…制御部
【図１】
0004528421.tif 000002
【図２】
0004528421.tif 000003
【図３】
0004528421.tif 000004
【図４】
0004528421.tif 000005
【図５】
0004528421.tif 000006
【図６】
0004528421.tif 000007
【図７】
0004528421.tif 000008
【図８】
0004528421.tif 000009
【図９】
0004528421.tif 000010
【図１０】
0004528421.tif 000011
【図１１】
0004528421.tif 000012
【図１２】
0004528421.tif 000013